(57)【要約】【課題】遊技機島内を落下する遊技球の位置エネルギーを活用することにより、低コストでまとまった発生電力を確保する遊技機島内の発電装置を提供する。【解決手段】複数の遊技機（パチンコ機）２０からなる遊技機島（パチンコ島）ＰＩ内部を落下する遊技球（パチンコ玉）の経路（例えば回収樋１３）に、該遊技球の落下により発電する発電手段（第１，第２の発電装置３０ａ，３０ｂ）を備えた構成としてある。このようにすれば、遊技機島の内部を落下する遊技球（パチンコ玉）の数は多いので、遊技機島ごとに備えた少ない発電手段により、低コストで発生電力を確保することができる。【選択図】      図１
2004290258.tif 000002
【特許請求の範囲】
【請求項１】
複数の遊技機からなる遊技機島内部を落下する遊技媒体の経路に、該遊技媒体の落下により発電する発電手段を備えたことを特徴とする遊技機島内の発電装置。
【請求項２】
前記発電手段を備える位置は、遊技媒体を回収する回収樋である請求項１記載の遊技機島内の発電装置。
【請求項３】
前記発電手段を備える位置は、遊技媒体を補給する補給樋である請求項１又は２記載の遊技機島内の発電装置。
【請求項４】
前記発電手段を備える位置は、前記回収樋及び／又は補給樋の下流側である請求項３記載の遊技機島内の発電装置。
【請求項５】
前記発電手段は、
前記遊技媒体の落下により回転するローターを備えた発電機である請求項１，２，３又は４記載の遊技機島内の発電装置。
【請求項６】
前記ローターは、複数配置された前記遊技媒体の経路からの各遊技媒体をそれぞれ受けるようにした請求項５記載の遊技機島内の発電装置。
【発明の詳細な説明】
【０００１】
【発明の属する技術分野】
本発明は、遊技機島内の発電装置に関し、特に、遊技機島内を落下する遊技媒体の位置エネルギーを活用することにより、低コストでまとまった発生電力を確保するようにした遊技機島内の発電装置に関する。
【０００２】
【従来の技術】
遊技機（例えばパチンコ機等）の遊技領域（遊技盤）には、多数の障害釘が植設され、各所には入賞口，図柄表示器，装飾ランプ，風車等が配置されている。
そして、遊技者が電動モータ式発射装置を介して発射した遊技球は、発射領域である発射レールに沿って打ち上げられ、遊技領域に達する。
【０００３】
遊技領域に達した遊技球は、障害釘等によって進路を変更されながら流下し、その過程において、遊技球が図柄始動口や普通入賞口に入賞することによって、図柄表示器の図柄が変動を開始したり、所定数の賞品球の払出しを受けたりする。
【０００４】
そして、打ち上げられた全ての遊技球（パチンコ玉）は、遊技領域の最下部に設けてあるアウト口から遊技機外に排出される。なお、打ち上げられた全ての遊技球は、「外れ」か「当り」となるが、何れの遊技球もアウト口から遊技機外に排出される。以下、本明細書では、アウト口から遊技機外に排出された遊技球を「アウト玉」と称する。
【０００５】
また、遊技機には、遊技領域に設置の装飾ランプの他に、点灯ランプ等が設置してあり、遊技の内容によって、それらのランプが点灯，点滅し、遊技を盛り上げている。このように、遊技機には多数の電力を消費する機器があり、一台の遊技機の消費電力は約１１０〜１３０ワットである。
【０００６】
従来、前述のような遊技球が持つ位置エネルギーを利用して、遊技機内部に設けた発電手段により電力を発生させ、この発生させた電力を遊技機で消費する電力の一部として使用する提案がある（例えば、特許文献１参照）。
【０００７】
【特許文献１】
特開平１１−２３５４１９号公報（第２頁、第２図）
【０００８】
【発明が解決しようとする課題】
ところで、最近の遊技場は数百台の遊技機を備えて大規模化したものが多くなっている。そして、大規模遊技場では遊技場内を、例えば２０台の遊技機を一まとめにして幾つかのグループ（島）に構成し、この島ごとに遊技球を補給したり、アウト玉を回収したりして、島を単位として各種管理を行っている。
【０００９】
しかしながら、前記特許文献１の提案には以下の欠点がある。
即ち、遊技機そのもの（遊技機単独）に発電手段を備えたものであり、遊技機単独のみの演出（ＬＥＤの点滅等）に止まっている。また、遊技機単独なので発電量も少ない。
【００１０】
本発明は、前記問題を解決するためになされたものであり、遊技機島内を落下する遊技媒体の位置エネルギーを活用することにより、低コストでまとまった発生電力を確保するようにした遊技機島内の発電装置の提供を目的とする。
【００１１】
【課題を解決するための手段】
前記目的を達成するために請求項１記載の発明は、複数の遊技機からなる遊技機島内部を落下する遊技媒体の経路に、該遊技媒体の落下により発電する発電手段を備えた構成としてある。
【００１２】
このようにすれば、遊技機島の内部を落下する遊技媒体、例えば遊技球（パチンコ玉）の数は多いので、遊技機島ごとに備えた少ない発電手段により、低コストで発生電力を確保することができる。
【００１３】
次に請求項２記載の発明は、請求項１記載の遊技機島内の発電装置において、前記発電手段を備える位置は、遊技媒体を回収する回収樋である構成としてある。
【００１４】
このようにすれば、例えば図１に示した遊技機島（パチンコ島ＰＩ）においては、発電手段（第１，第２の発電装置３０ａ，３０ｂ）を回収樋１３の最下端に設けているので、アウト玉の落下による位置エネルギーを効率よく電力に変換することができる。
【００１５】
次に請求項３記載の発明は、請求項１又は２記載の遊技機島内の発電装置において、前記発電手段を備える位置は、遊技媒体を補給する補給樋である構成としてある。
そして、請求項４に記載するように、前記発電手段を備える位置は、前記回収樋及び／又は補給樋の下流側となるように構成してある。
【００１６】
このようにすれば、例えば図１に示した遊技機島（パチンコ島ＰＩ）においては、発電手段（第１，第２の発電装置３０ａ，３０ｂ）を、補給用の遊技媒体、例えばパチンコ玉（補給玉）が玉リフト１１から補給樋１２に落下する最下点に設けることができるので（図示省略）、補給玉の落下による位置エネルギーを効率よく電力に変換することができる。
【００１７】
次に請求項５記載の発明は、請求項１〜請求項４記載の遊技機島内の発電装置において、前記発電手段は、前記遊技媒体の落下により回転するローターを備えた発電機である構成としてある。
【００１８】
このようにすれば、例えば図２（ａ），（ｂ）に示すように、発電手段（第１の発電装置３０ａ）は、落下する遊技媒体（玉等）を受ける羽根３２を備えたローター３１と、該ローターの回転を発電部３４に伝達する軸３３とを備えてなる。発電部３４の内部には軸３３の先端部が挿通され、該先端部には図示省略の永久磁石が取り付けられ、永久磁石の周囲には固定されたコイル（図示省略）が配置されている。具体的には、走行中の自転車のタイヤに回転体を接触させ、その回転力を電力に変換する自転車用発電機と、同等の構成である。
【００１９】
かかる構成において、落下するパチンコ玉ＰＢは羽根３２に受けられ、ローター３１を反時計方向に回転させ、軸３３に取り付けられた永久磁石を、コイルの内周側で回転させるので、発電部３４は電力を発生する。
【００２０】
さらに、請求項６記載の発明は、請求項５記載の遊技機島内の発電装置において、前記ローターは、複数配置された前記遊技媒体の経路からの各遊技媒体をそれぞれ受けるようにした構成としてある。
【００２１】
このようにすれば、例えば図２（ｂ）に示すように、ローター３１には羽根３２がギャップ３２ａを挟んで複数配列されている。ギャップ３２ａには、パチンコ玉ＰＢを導く導入路１５ａ〜１５ｃを構成するための整流板１４ｂ，１４ｃの先端が位置するように構成されている。従って、図２（ｂ）の例では１個のローター３１に対して３列のパチンコ玉ＰＢを、お互いに干渉することを防ぎながら落下させることができるので、ローター３１の回転が速くなり、高い電力を得ることが可能となる。
【００２２】
【発明の実施の形態】
以下、本発明の遊技機島内の発電装置を、図示の実施形態に基づいて説明する。
図１は本実施形態の全体構成を示す正面図、図２（ａ）は要部拡大図、図２（ｂ）は発電装置の斜視図、図３は電力供給システムのブロック図である。
【００２３】
図１に示すように、「遊技機島」であるパチンコ島ＰＩは、パチンコ機を取り付ける取付台１０と、パチンコ機２０と、発電装置３０とを備えてなる。
取付台１０は、遊戯客が図示省略の椅子に腰掛けて遊技をするのに好適な位置にパチンコ機２０を取り付けるようになっており、次に説明する玉リフト１１を挟んで、この例では横方向左右にそれぞれ５台のパチンコ機２０を取り付けてある。
【００２４】
このパチンコ島ＰＩのパチンコ機２０の台数は、手前側の１０台と、背面側の１０台（図示せず）との合計２０台である。また、発電装置３０の台数は２台であり（第１の発電装置３０ａと第２の発電装置３０ｂ）、第１の発電装置３０ａには右側の表裏両面の１０台のパチンコ機２０のアウト玉を発電に利用し、第２の発電装置３０ｂには同様に左側の表裏両面の１０台のアウト玉を発電に利用する。
【００２５】
玉リフト１１は、下端部の玉貯留部１１ａに集められたアウト玉（図示省略）を上方に運び上げる機能を有し、玉リフト１１の上端部側からは左右にパチンコ玉を補給する補給樋１２が配置されている。補給樋１２はパチンコ玉が自重で左右端部に向けて転がるように傾斜を有している。
【００２６】
パチンコ機２０の下方にはアウト玉を回収する回収樋１３が配置されている。回収樋１３は左右端部から玉リフト１１の玉貯留部１１ａに向けて傾斜が付けられ、パチンコ玉が第１，第２の発電装置３０ａ，３０ｂに向って回転落下していく。
【００２７】
発電装置３０は、図２（ａ），（ｂ）の拡大図に示すように、回収樋１３の下端部の玉貯留部１１ａの直ぐ上方に配置されている。そして、回収樋１３を回転落下してきたパチンコ玉ＰＢが、次に説明するローター３１の羽根３２に一列になって１玉ずつ落下するように制限する４枚の整流板１４ａ〜１４ｄが配置されている。
【００２８】
即ち、４枚の整流板１４ａ〜１４ｄにより３つの導入路１５ａ〜１５ｃが形成され、各導入路をパチンコ玉が一列になって羽根３２に向って落下していく。落下してきたパチンコ玉は、ローター３１の左方に設けた規制板１６により落下方向が規制され、パチンコ玉の重量を効率よく羽根３２に載せる。
【００２９】
発電装置３０は反時計方向に回転自在に支持された円筒状のローター３１を備え、該ローター３１の外周面に放射状に１０方向の羽根３２が植設されている。
羽根３２の高さはパチンコ玉ＰＢの直径（１１ｍｍ）のよりやや短く、軸方向に一列に配置された個々の羽根３２の間にはギャップ３２ａが形成されている。このギャップ３２ａに、前記整流板１４の先端部が羽根３２に接触しないように配置されている。
【００３０】
ローター３１の中心軸に沿って軸３３が突設され、該軸３３の回転は発電部３４に伝えられる。発電部３４の内部には、図示省略の軸３３の先端に取り付けられた永久磁石と、該永久磁石の周囲に固定されたコイルとが配置され、パチンコ玉ＰＢの落下により発電部３４から交流電圧を発生させる。
【００３１】
次に負荷（例えばパチンコ機に内蔵されたＬＥＤ）への電力供給システムを説明する。
図３に示すように、電力供給システムＰＳは、発電装置３０（第１，第２の発電装置３０ａ，３０ｂ）と、バッテリー４２と、制御装置４３と、負荷であるＬＥＤ４４と、商用電源４５とを備えてなる。
【００３２】
第１，第２の発電装置３０ａ，３０ｂは、それぞれ第１，第２の整流器４１ａ，４１ｂを介してバッテリー４２に接続され、該バッテリー４２には充電状況を監視し、十分に充電された場合には負荷（ＬＥＤ４４）への経路を切り換える制御装置４３が接続されている。なお、第１，第２の整流器４１ａ，４１ｂにより、バッテリー４２の放電を防ぐ機能もある。
【００３３】
ＬＥＤ４４には、通常、商用電源４５から変圧器４５ａ，第３の整流器４５ｂ，リレー接点４６およびスロットマシンの点灯制御を演出する点灯制御演出装置４４ａを介して直流が供給されている。そして、バッテリー４２が十分に充電されたことを、制御装置４３が検出すると、リレー（図示省略）を作動させリレー接点４６をバッテリー４２側に切り換え、バッテリー４２からＬＥＤ４４に直流電圧を供給する。
【００３４】
ここで、図１におけるパチンコ島ＰＩの２０台のパチンコ機が発生する電力の理論値を、計算により求める。
前述のように、パチンコ島ＰＩの右側には表裏両面に１０台のパチンコ機２０が設置され、第１の発電装置３０ａは前記１０台のアウト玉を発電に利用する。この第１の発電装置３０ａの電力を求める。
【００３５】
条件として、以下の設定値とする。
アウト玉の発生量：１００発／１分／１台（１分間に１台のパチンコ機当り１００発のアウト玉が発生する）
パチンコ玉の重量：５．５ｇｒ／１個
アウト玉が持つ位置のエネルギー：０．３ｍ
【００３６】
第１の発電装置３０ａの発生電力は次のようになる。
発生電力＝１０（台）×１００／６０（発／秒）×５．５／１０００（ｋｇ）×９．８（重力の加速度）×０．３（高さ：ｍ）＝２．６Ｗ（ワット）
従って、遊技場（パチンコホール）としては平均的規模の４００台のホールの発生電力は、次のようになる。
４００台の発生電力：約２．６×４００／１０＝１０４Ｗ
この１０４Ｗを、例えばＬＥＤの点灯や点滅に使用することができる。
【００３７】
なお、前記実施形態では回収樋１３から回収されたアウト玉により発電する場合を説明したが、玉リフト１１から補給樋１２にパチンコ玉を補給する場合にもパチンコ玉の位置エネルギーが発生する。この際の位置エネルギーを発電に利用することも可能である。
また、前記実施形態ではローターの先端に永久磁石を取り付け、コイル内を回転させる場合を説明したが、逆にローターの先端にコイルを取り付け、固定した永久磁石を覆うようにして、コイルを回転させてもよい。
【００３８】
以上、本発明の遊技機島内の発電装置について、好ましい実施形態を示して説明したが、本発明に遊技機島内の発電装置は、上述した実施形態にのみ限定されるものではなく、本発明の範囲で種々の変更実施が可能であることは言うまでもない。
例えば、上述した実施形態では、本発明の発電装置を備える遊技機島としてパチンコ機島を例にとって説明したが、これを他の遊技機（パチスロ機等）の島内に設置することも勿論可能である。すなわち、本発明は遊技機島内を落下する遊技媒体を利用できる限り、どのような遊技機島に対しても適用できるものであり、発電に利用される遊技媒体としては、遊技球（パチンコ玉）の他、例えば遊技コイン（パチスロメダル）等であっても良い。
【００３９】
【発明の効果】
以上説明したように本発明によれば、以下の効果を発揮することができる。
請求項１記載の発明によれば、遊技機島の内部を落下する遊技媒体（パチンコ玉等）の数は多いので、遊技機島ごとに備えた少ない発電手段により、低コストで発生電力を確保できる。
【００４０】
請求項２及び４記載の発明によれば、発電手段を遊技媒体の回収樋の最下端に設けることができるので、例えばアウト玉の落下による位置エネルギーを効率よく電力に変換することができる。
請求項３及び４記載の発明によれば、発電手段を、例えば補給玉が玉リフトから補給樋に落下する最下点に設けることができるので、補給玉の落下による位置エネルギーを効率よく電力に変換することができる。
【００４１】
請求項５記載の発明によれば、例えば図２（ａ），（ｂ）において、落下するパチンコ玉は羽根に受けられ、ローターを反時計方向に回転させ、軸に取り付けられた永久磁石（図示省略）を、コイル（図示省略）の内周側で回転させるので、発電部は電力を発生する。
請求項６記載の発明によれば、例えば図２（ｂ）において、１個のローターに対して３列のパチンコ玉ＰＢを落下させることができるので、ローターの回転が速くなり、高い電力を得ることが可能となる。
【図面の簡単な説明】
【図１】本発明の実施形態の全体構成を示す正面図である。
【図２】（ａ）は同実施形態における要部の拡大側断面図、（ｂ）は発電装置の拡大斜視図である。
【図３】同実施形態における、電力供給システムのブロック図である。
【符号の説明】
ＰＢ  パチンコ玉
ＰＩ  パチンコ島
ＰＳ  電力供給システム
１０  取付台
１１  玉リフト
１１ａ  玉貯留部
１２  補給樋
１３  回収樋
１４ａ〜１４ｄ  整流板
１５ａ〜１５ｂ  導入路
１６  規制板
２０  パチンコ機
３０  発電装置
３０ａ  第１の発電装置
３０ｂ  第２の発電装置
３１  ローター
３２  羽根
３３  軸
３４  発電部
４１ａ  第１の整流器
４１ｂ  第２の整流器
４２  バッテリー
４３  制御装置
４４  ＬＥＤ
４４ａ  点灯制御演出装置
４５  商用電源
４５ｂ  第３の整流器
４６  リレー接点
【図１】
2004290258.tif 000003
【図２】
2004290258.tif 000004
【図３】
2004290258.tif 000005